(57)【要約】【課題】シリーズ番組の視聴分析を正確に行う。【解決手段】一実施形態に係る視聴履歴分析方法は、放送波により送信される複数の放送話で構成されるシリーズ番組を含む放送番組を受信する各視聴装置から、放送番組を視聴した履歴である視聴履歴と各視聴装置を個別に識別する各識別情報とを収集する収集部と、各視聴履歴と各識別情報とを解析対象とする解析部と、前記解析部の解析結果をもとにサービスを提供するサービス提供部を用い、視聴履歴から、各視聴装置に対してシリーズ番組の放送話が視聴された割合である視聴割合を算出し、視聴割合が一定条件を満たす視聴装置の割合である装置割合に従って、シリーズ番組のランクを決定し、シリーズ番組の少なくともランクおよび装置割合を示す可視化用のデータを出力するデータを得る。【選択図】図６
2020191587.tif 000002
【特許請求の範囲】
【請求項１】
放送波により送信される複数の放送話で構成されるシリーズ番組を含む放送番組を受信する各視聴装置から、前記放送番組を視聴した履歴である視聴履歴と前記各視聴装置を個別に識別する各識別情報とを収集する収集部と、
前記視聴履歴と前記各識別情報とを解析対象とする解析部と、
前記解析部の解析結果をもとにサービスを提供するサービス提供部を用いる視聴履歴分析方法において、
前記視聴履歴から、前記各視聴装置に対して前記シリーズ番組の前記放送話が視聴された割合である視聴割合を算出し、
前記視聴割合が一定条件を満たす視聴装置の割合である装置割合に従って、前記シリーズ番組のランクを決定し、
前記シリーズ番組の少なくとも前記ランクおよび前記装置割合を示す可視化用のデータを出力するデータを得る視聴履歴分析方法。
【請求項２】
前記装置割合は、第１の装置割合と第２の装置割合とを含み、
前記第１の装置割合は、前記視聴割合が予め決められた第１のしきい値以上である前記視聴装置の割合であり、
前記第２の装置割合は、少なくとも1回前記放送話が視聴された前記視聴装置の割合であり、
前記シリーズ番組ごとに、前記第１の装置割合と前記第２の装置割合とを求め、前記第１の装置割合と前記第２の装置割合とを比較対照可能に表示させる可視化用データを得る請求項１に記載の視聴履歴分析方法。
【請求項３】
前記放送話の放送時間のうち予め設定される第２のしきい値以上の時間、前記視聴装置で視聴した場合に、前記視聴装置により前記放送話が視聴されたものと判定することを特徴とする請求項１または請求項２のいずれか１項に記載の視聴履歴分析方法。
【請求項４】
少なくともライブ、再生、予約を含む前記視聴装置の視聴方法別に算出した前記装置割合に従って、可視化用データを得ることを特徴とする請求項１または請求項２のいずれか１項に記載の視聴履歴分析方法。
【請求項５】
デモグラフ属性別に算出した前記装置割合に従って、可視化用データを得ることを特徴とする請求項１または請求項２のいずれか１項に記載の視聴履歴分析方法。
【請求項６】
放送波により送信される複数の放送話で構成されるシリーズ番組を含む放送番組を受信する各視聴装置から、前記放送番組を視聴した履歴である視聴履歴と前記各視聴装置を個別に識別する識別番号とを収集する収集部と、
前記視聴履歴と前記各識別番号とを解析する解析部と、
前記解析部の解析結果をもとにサービスを提供するサービス提供部とを備える視聴履歴分析システムにおいて、
前記解析部は、前記視聴履歴から前記各視聴装置に対して、前記シリーズ番組の前記放送話が視聴された視聴割合を算出し、
前記サービス提供部は、前記視聴割合が一定条件を満たす視聴装置の割合である装置割合に従って、前記シリーズ番組のランクを決定し、前記シリーズ番組の少なくとも前記ランクおよび前記装置割合を示す可視化用のデータを得ることを特徴とする視聴履歴分析システム。
【請求項７】
前記装置割合は、第１の装置割合と第２の装置割合とを含み、
前記解析部は、前記シリーズ番組ごとに、前記視聴割合が予め決められた第１のしきい値以上である前記視聴装置の割合である前記第１の装置割合と、少なくとも1回前記放送話が視聴された前記視聴装置の割合である前記第２の装置割合とを算出し、
前記サービス提供部は、前記第１の装置割合と前記第２の装置割合とを比較対照可能に表示させる可視化用データを得ることを特徴とした請求項６に記載の視聴履歴分析システム。
【請求項８】
前記サービス提供部は、前記第２の装置割合を下に、前記第１の装置割合を上に、棒グラフとして重ねて、前記第１の装置割合と前記第２の装置割合とを表示させる可視化用データを得ることを特徴とした請求項７に記載の視聴履歴分析システム。
【請求項９】
前記サービス提供部は、前記第１の装置割合と前記第２の装置割合とを棒グラフとして重ねて表示させ、前記第１の装置割合または前記第２の装置割合のいずれか一つに従って、前記シリーズ番組のランクを決定し、前記ランクごとに前記シリーズ番組の番組名と前記棒グラフとを並べ替えて表示させることを特徴とした請求項８に記載の視聴履歴分析システム。
【請求項１０】
前記解析部は、少なくともライブ、再生、予約を含む前記視聴装置の視聴方法別に、前記第１の装置割合と前記第２の装置割合とを算出し、
前記サービス提供部は、前記視聴方法別の前記第１の装置割合と前記第２の装置割合とのいずれか一つに従って、前記シリーズ番組の前記ランクを決定し、前記ランクごとの前記番組名と前記棒グラフとを表示させることを特徴とした請求項９に記載の視聴履歴分析システム。
【請求項１１】
前記解析部は、デモグラフ属性の要素ごとの前記装置割合を算出し、
前記サービス提供部は、前記デモグラフ属性の要素ごとの前記装置割合に従って、前記シリーズ番組のランクを決定し、第１の表示エリアにおいて、縦軸を前記ランクの値に対する数値軸とし、横軸を前記デモグラフ属性の要素を項目とする項目軸とした座標平面上に、前記デモグラフ属性の項目に対する前記ランクの値を前記シリーズ番組ごとに結線したグラフを表示させる可視化用データを得ることを特徴とする請求項６または請求項７のいずれか１項に記載の視聴履歴分析システム。
【請求項１２】
前記第１の表示エリアにおいて、前記シリーズ番組の番組名は前記縦軸に沿って並べて表示され、前記デモグラフ属性の項目名は前記横軸に沿って並べて表示され、
前記サービス提供部は、前記第１の表示エリアの前記デモグラフ属性の項目名が１つ選択されると、前記選択された前記デモグラフ属性の項目に対して決定された前記ランクに従って、前記シリーズ番組の番組名の並び順を決定する請求項１１に記載の視聴履歴分析システム。
【請求項１３】
前記サービス提供部は、前記第１の表示エリアの横に、前記シリーズ番組の中から特定のシリーズ番組を選択できるボタンを有する第２の表示エリアを表示させ、前記ボタンにより前記特定のシリーズ番組が選択されると、前記特定のシリーズ番組の前記グラフを強調表示させる請求項１１に記載の視聴履歴分析システム。
【発明の詳細な説明】
【技術分野】
【０００１】
実施形態は、視聴履歴分析方法および視聴履歴分析システムに関する。
【背景技術】
【０００２】
近年、インターネット技術が発達しており、ビデオオンデマンド（ＶＯＤ）サービスをテレビ装置で利用する人口が増加している。そのためインターネットに接続したテレビ装置の数も増加傾向にある。
このような環境の中で、インターネット経由で各テレビ装置から膨大な量の視聴データ（視聴ログと称される場合もある）を収集し、視聴率等の視聴状況の分析を行うことが可能となっている。
【先行技術文献】
【特許文献】
【０００３】
【特許文献１】特開２０１７−２８３５３号公報
【特許文献２】特開２０１７−１８８９３２号公報
【発明の概要】
【発明が解決しようとする課題】
【０００４】
しかしながら、ドラマやアニメ等長期にわたって複数回放送されるシリーズ番組に対する視聴状況の分析においては、たまたまテレビをつけていたり、そのチャンネルの視聴習慣が高かったためにその番組を見ていたり、前後に人気番組がありその流れで数回見たりといった様々な要因による浮動層データなどのために、実際に好きでその番組が視聴された機器がどの程度いたのかといった番組の評価を正確にできない可能性がある。
【０００５】
本発明が解決しようとする課題は、シリーズ番組の視聴分析を正確に行うことのできる視聴履歴分析方法と視聴履歴分析システムを提供することを目的とする。
【課題を解決するための手段】
【０００６】
一実施形態に係る視聴履歴分析方法は、放送波により送信される複数の放送話で構成されるシリーズ番組を含む放送番組を受信する各視聴装置から、前記放送番組を視聴した履歴である視聴履歴と前記各視聴装置を個別に識別する各識別情報とを収集する収集部と、前記各視聴履歴と前記各識別情報とを解析対象とする解析部と、前記解析部の解析結果をもとにサービスを提供するサービス提供部を用いる。
【０００７】
前記視聴履歴分析方法は、前記視聴履歴から、前記各視聴装置に対して前記シリーズ番組の前記放送話が視聴された割合である視聴割合を算出し、前記視聴割合が一定条件を満たす視聴装置の割合である装置割合に従って、前記シリーズ番組のランクを決定し、前記シリーズ番組の少なくとも前記ランクおよび前記装置割合を示す可視化用のデータを出力するデータを得る。
【図面の簡単な説明】
【０００８】
【図１】図１は、実施形態に関係する放送信号送信装置、サーバおよび受信装置（視聴装置）からなるシステム全体の構成例を示した図である。
【図２】図２は、テレビジョン受信装置の構成例を概略的に示した図である。
【図３】図３は、サーバの構成例とサービスを受けるユーザのパーソナルコンピュータの例を概略的に示した図である。
【図４Ａ】図４Ａは、第１の実施形態において、表示させた解析画面の一例を示す図である。
【図４Ｂ】図４Ｂは、同実施形態において、表示させた解析結果の一例を示す図である。
【図５】図５は、同実施形態において、ソート条件を変更して表示させた解析結果の一例を示す図である。
【図６】図６は、同実施形態において、視聴履歴を解析し、解析結果を可視化させるためのシステムの処理動作例を示すフローチャートである。
【図７】図７は、同実施形態において、視聴履歴を解析するためのサーバの処理動作例を示すフローチャートである。
【図８】図８は、第２の実施形態において、視聴方法別に表示させた解析結果の一例を示す図である。
【図９】図９は、同実施形態において、視聴方法別に解析結果を表示させるためのシステムの処理動作例を示すフローチャートである。
【図１０】図１０は、第３の実施形態において、デモグラフ属性を横軸として表示させた解析結果の一例を示す図である。
【図１１】図１１は、同実施形態において、デモグラフ属性を横軸として解析結果を表示させるためのシステムの処理動作例を示すフローチャートである。
【発明を実施するための形態】
【０００９】
以下、実施の形態について図面を参照して説明する。
図１は、本実施形態に係る放送信号送信装置１００、サーバ１２０および視聴装置１４０からなるシステム全体の構成例を示した図である。
１００は、放送番組を放送する放送信号送信装置（放送局とも呼ぶ）であり、放送番組サーバ１０１および第１の基本機能１０２を備える。
【００１０】
放送番組サーバ１０１は、放送信号送信装置１００として放送する番組のデータ、番組の名称、放送日時、内容の説明等を予め保存しておくエリアである。
第１の基本機能１０２は、放送信号送信装置１００の基本的な機能であり、放送する番組の映像信号や音声信号等を符号化（エンコードとも言う）して多重化し、放送信号として送出する機能を持つ。
【００１１】
サーバ１２０は、クラウド上に存在し、視聴装置１４０のユーザが視聴した番組の視聴履歴を収集するサーバであり、識別管理部１２１、収集部１２２、解析部１２３およびサービス提供部１２４を備える。
サーバ１２０は、視聴装置（テレビ装置、テレビジョン受信機、放送信号受信装置とも称される）１４０が個別に持つ識別番号により個々の視聴装置１４０を識別している。視聴装置１４０が持つ識別番号は、例えば数字、アルファベットの組み合わせから構成されている。
【００１２】
識別管理部１２１は、視聴装置１４０が持つ識別番号を、ネットワーク１８０を介して収集し管理する機能を持つ。識別管理部１２１は、例えば視聴装置１４０の初期設定時に、視聴装置１４０が持つ識別番号を収集してもよい。
収集部１２２は、視聴装置１４０のユーザが放送番組を視聴した履歴である視聴履歴を収集する機能を持つ。
【００１３】
解析部１２３は、収集部１２２で収集した視聴履歴を解析する機能を持つ。サービス提供部１２４は、解析部１２３が解析した結果をもとにサービスを提供する機能を持つ。
サービス提供部１２４は、解析部１２３が解析した結果をもとに例えば、視聴装置１４０のユーザにとって有益な情報を提供してもよい。あるいはサービス提供部１２４は、解析部１２３が解析した結果をもとに例えば、視聴装置１４０に対して番組を放送する側である放送信号送信装置１００や番組制作会社、番組のスポンサー等にとって有益な情報を提供してもよい。
【００１４】
１４０は、放送信号送信装置１００が放送する番組を受信する受信装置であり、デジタル放送の受信機能（第２の基本機能１４１）、制御部１４２を含む。視聴装置１４０は、例えばテレビジョン受信装置でもあってもよい、また放送波で送られてくる番組を録画する機能を備えたレコーダであってもよい。以降の説明においては、視聴装置を視聴装置１４０として説明する。図では１つのテレビジョン受信装置を示しているが、多数多種の視聴装置１４０がサーバ１２０に接続されている。
【００１５】
第２の基本機能１４１は、視聴装置１４０としての基本的な機能であり、放送信号送信装置１００から送られてくる放送波を受信し、放送波に含まれる符号化された映像信号（映像ストリームとも呼ぶ）、符号化された音声信号（音声ストリームとも呼ぶ）、アプリケーションデータおよび伝送制御信号を分離し、映像信号および音声信号をデコードしたり、アプリケーションデータを受信したり、伝送制御信号を解析したりする機能を持つ。
【００１６】
制御部１４２は、視聴装置１４０の全体を制御する機能を持つ。また制御部１４２は、録画機能である録画部を持つ。また制御部１４２は、視聴装置１４０に接続されている周辺機器、例えば表示器１６０、スピーカ１６１、視聴装置１４０にバインドされているＨＤＤ（Hard Disk Drive）１６２、リムーバルメディア１７０、との接続やデータの送受信の管理も行う。
【００１７】
表示器１６０は、スピーカ１６１を内蔵しており、第２の基本機能１４１においてデコードされた映像信号を表示領域に表示したり、音声信号をスピーカ１６１から出力したりする。なお、表示器１６０に内蔵されているスピーカ１６１は、ＵＳＢ等のＩ／Ｆにより接続された外部のスピーカであってもよい。
【００１８】
なお図１の例では、表示器１６０は、視聴装置１４０と別体として記載しているが、視聴装置１４０の１機能として視聴装置１４０と一体であってもよい。
図２は、視聴装置１４０の構成例を概略的に示した図である。視聴装置１４０は、先に述べたように、放送波を受信する機能である第２の基本機能１４１、制御部１４２を含む。
【００１９】
第２の基本機能１４１は、地上デジタルテレビジョン放送用の地デジチューナ２０１−１、地デジデマルチプレクサ２０２−１、地デジデスクランブラ２０３−１、映像および音声の２Ｋデコーダ２０４−１を持つ。同様に第２の基本機能１４１は、ＢＳデジタル放送用のＢＳチューナ２０１−２、ＢＳデマルチプレクサ２０２−２、ＢＳデスクランブラ２０３−２、映像および音声の２Ｋ用デコーダ２０４−２、４Ｋ用デコーダ２０４−３、８Ｋ用デコーダ２０４−４を持つ。同様に第２の基本機能１４１は、ＣＳデジタル放送用のＣＳチューナ２０１−３、ＣＳデマルチプレクサ２０２−３、ＣＳデスクランブラ２０３−３、映像および音声の２Ｋ用デコーダ２０４−５、４Ｋ用デコーダ２０４−６を持つ。
【００２０】
視聴装置１４０が地上デジタルテレビジョン放送の放送信号を受信すると、放送チューナ２０１−１は、放送波で送られてきたストリーム（放送信号）を復調する。復調されたストリーム（放送信号）は、地デジデマルチプレクサ２０２−１に入力される。地デジデマルチプレクサ２０２−１は、入力された多重化ストリームを映像ストリーム、音声ストリーム、字幕ストリーム、アプリケーションデータ、伝送制御信号に分離し、映像ストリームと音声ストリームを地デジデスクランブラ２０３−１に入力する。
【００２１】
地デジデスクランブラ２０３−１は、映像ストリームと音声ストリームをデスクランブルして、２Ｋデコーダ２０４−１に入力する。
映像ストリームおよび音声ストリームは２Ｋデコーダ２０４−１でデコードされる。
デコードされた映像データは、映像・オーディオ・字幕データ処理部２０６、表示信号出力部２０７を介して表示器１６０に出力される。またデコードされた音声データは、映像・オーディオ・字幕データ処理部２０６、表示信号出力部２０７を介して表示器１６０に内蔵されているスピーカ１６１に出力される。
【００２２】
映像・オーディオ・字幕データ処理部２０６は、映像データに対して、輝度調整、色補正等を行うことができる、また音声データに対して、音質の調整、周波数特性の調整等を行うことができる。
表示信号出力部２０７は、表示器１６０の表示能力に応じて、色度、解像度などを制御する。
【００２３】
オーディオ信号出力部２０８は、スピーカシステム（単なるステレオタイプ、５チャンネルシステムなど）に応じてオーディオ出力を変換することができる。
視聴装置１４０がＢＳデジタル放送信号、ＣＳデジタル放送信号を受信した場合も、地上デジタルテレビジョン放送の放送信号を受信した場合と同様に、放送波で送られてきたストリーム（放送信号）をデマルチプレクサ処理やデスクランブル処理を行い、映像データを表示器１６０に出力したり音声データをスピーカ１６１に出力したりする。
【００２４】
図２の視聴装置１４０の例は、地上デジタルテレビジョン放送用のチューナが地デジチューナ２０１−１の１つを内蔵している場合の例であるが、複数の地上デジタルテレビジョン放送用のチューナを内蔵していてもよい。同様に視聴装置１４０は、複数のＢＳデジタル放送用のチューナ、複数のＣＳデジタル放送用のチューナを内蔵していてもよい。
【００２５】
制御部１４２は、視聴装置１４０の全体を制御する。また制御部１４２は、視聴装置１４０のユーザが視聴している番組の視聴履歴を取得し、取得した視聴履歴を、ネットワーク１８０を介してサーバ１２０に送信する。制御部１４２は、外部とのＩ／Ｆとして通信ネットワーク１８０とのＩ／ＦであるネットワークＩ／Ｆ１８１、リモートコントローラ（リモコン）１９０とのＩ／ＦであるリモコンＩ／Ｆ１８２を持つ。
【００２６】
ここで視聴履歴とは、視聴装置１４０が、複数あるチューナに受信している番組すべての履歴のことを示している。具体的には例えば視聴装置１４０のユーザが、放送波を受信して表示器１６０に表示されている番組Ａを視聴しながら、同時に番組Ｂを視聴装置１４０の録画機能である録画部１４３により録画している場合、制御部１４２は、番組Ａの視聴（ライブ視聴と呼ぶ）の履歴であるライブ視聴履歴と、番組Ｂの再生視聴（録画した番組を再生する視聴）の再生視聴履歴、さらには番組Ｃの視聴予約による視聴である予約視聴履歴を取得することができる。
【００２７】
再生視聴は、例えば録画機能の予約機能により予め録画する番組を予約することで、指定した番組Ｂを指定した時刻に録画部１４３に録画し、表示器１６０に表示させずに録画だけが行われる場合もある。
このように本実施形態の視聴装置１４０は、ライブ視聴、録画再生視聴、視聴予約による予約視聴などの各種の視聴形態をとることができる。
【００２８】
上記の各種の視聴履歴は、例えばチャンネル番号、番組名、放送局名と、視聴を開始時刻と視聴を終了した時刻との組み合わせの情報で構成されていてもよい。制御部１４２は、取得した視聴履歴を内部に持つ保存エリア（図示せず）に、上記の各種の視聴履歴をその種別ごとに保存する。
【００２９】
制御部１４２は、取得した視聴履歴を、視聴装置１４０が持つ識別番号を付与して、任意のタイミングにネットワーク１８０を介してサーバ１２０に送信する。
図３は、サーバ１２０の構成例とサービスを受けるユーザのパーソナルコンピュータの例を概略的に示した図である。
【００３０】
収集部１２２は、ネットワーク１８０を介して視聴装置１４０から送られてくる視聴履歴を収集して、付与されている識別番号ごとに内部に持つ保存エリア（図示せず）に保存するとともに、視聴履歴の保存アドレスや付与されている識別番号等、受信した視聴履歴の保存に関する情報を識別管理部１２１に送信する。
【００３１】
識別管理部１２１は、収集部１２２から送られてきた保存に関する情報と識別番号とを保存して管理する。これにより識別管理部１２１は、視聴装置１４０の識別番号ごとの視聴履歴のデータ（視聴ログ）を管理することができる。
解析部１２３は、収集部１２２に保存されている視聴履歴の中から、例えば指定した識別番号の、指定した期間の視聴履歴に対して解析を行う。解析の結果はサービス提供部１２４に送られ、サービス提供部１２４は送られてきた解析結果をもとに、サービスの提供を行う。サービス提供部１２４が提供するサービスデータを、ネットワーク３１０を介して例えば、パーソナルコンピュータ３１１から見えるように接続されている。なお、パーソナルコンピュータ３１１は、携帯端末などであってもよい。また、サーバ１２０は、サービス提供部１２４が提供するサービスの内容を表示できる表示部（図示しない）を備えてもよい。あるいはまた解析部１２３およびサービス提供部１２４は、サーバ１２０の外にあってもよい。
【００３２】
サービス提供部１２４が、サーバ１２０の外にある場合、解析部１２３およびサービス提供部１２４は、例えばＰＣ（パーソナルコンピュータ）の中にあってもよい。あるいは解析部１２３およびサービス提供部１２４は、スマートフォンやタブレット等の携帯端末の中にあってもよい。この場合ＰＣや携帯端末は、ネットワーク１８０を介してサーバ１２０と接続され、サーバ１２０にアクセスすることが可能である。このためＰＣや携帯端末は、収集部１２２に保存されている視聴履歴の情報を任意の場所において取得することができる。またＰＣや携帯端末の操作者は、解析部１２３による解析を任意の場所で行うことが可能である。またＰＣや携帯端末の操作者は、解析部１２３の解析結果をもとにサービス提供部１２４により、任意の場所でサービスの提供や付加価値データの提供を行うことが可能である。解析部１２３およびサービス提供部１２４を含む携帯端末を、視聴履歴分析装置と呼んでもよい。
【００３３】
サービス提供部１２４が提供するサービスは、例えば解析部１２３による解析結果をもとにした、可視化されたデータの提供や表示であってもよい。可視化されたデータとは、例えば収集部１２２が収集した膨大な視聴履歴の中から、解析部１２３が解析対象にした識別番号をもつ視聴装置１４０の視聴履歴の集合である視聴履歴群Ａを、さらに種々のパラメータを用いて視聴履歴群Ａを色々な観点でまとめ直すことで、無秩序に見えていた視聴履歴群Ａに、ある傾向が存在することをグラフや表を用いてユーザが理解しやすい形にして提供したり表示したりすることである。
【００３４】
このような視聴履歴群Ａの可視化のサービスは、例えば放送局１００や番組制作会社、番組スポンサー等、視聴装置１４０に対して番組を放送する側にとって有益な情報になりえる。
本実施形態では、放送番組のうち、特にシリーズ番組を解析対象とする。シリーズ番組とは、ドラマやアニメなど継続的に、または、中断期間を挟みながら複数期にわたり断続的に放送される番組であり、例えば、短期間に複数回集中的に放送されるシリーズ番組や、
長期にわたって複数回放送されるシリーズ番組、また、複数のシリーズ番組をセットとしたシーズン番組などを含む。シリーズ番組中、1回1回の放送を放送話と呼ぶ。
【００３５】
本実施形態では、「デモグラフ属性」や「視聴形態（視聴方法）」などを指定して、解析対象とする視聴履歴を絞ったり、解析結果の表示内容を変更したりすることができる。「デモグラフ属性」には、年齢、性別などの項目が含まれ、年齢と性別の組み合わせで指定することもできる。例えば、「地域全体」、「家族全体」、「Ｍ３」、「Ｍ２」、「Ｍ１」、「Ｔ」、「Ｆ１」、「Ｆ２」、「Ｆ３」などといった指定ができる。「視聴形態」には、「ライブ視聴」、「録画再生視聴」、「視聴予約」などといった指定ができる。
【００３６】
本実施形態では、シリーズ番組を評価するための評価指標として、「接触率」、「総合接触率」を定義する。この事前準備として、「視聴割合」、「装置割合」を定義する。
視聴割合は、視聴装置１４０ごとに求められ、シリーズ番組の放送済み放送話数もしくは放送予定も含めた全放送話数に対する、実際に視聴された放送話数の割合である。本実施形態においては、放送予定の情報が基本的に1週間先までしか取得できないなどの制限を考慮し、シリーズ番組の放送済み放送話数に対する、実際に視聴された放送話数の割合として例を示している。
ここで、“１放送話を視聴した”とは、１放送話の視聴時間が一定値以上の場合、もしくは１放送話を一定値以上の割合（例えば、1放送話の全放送時間に対する視聴時間の割合）で視聴した場合などを言う。
また、視聴したかどうかは視聴履歴から判断されるため、例えば、ユーザは見ていないがたまたま視聴装置１４０の電源がＯＮされていた場合等も「視聴した」という場合に含まれる可能性がある。
【００３７】
装置割合は、シリーズ番組ごとに求められ、解析対象である全視聴装置数に対する、視聴割合が一定値以上である視聴装置数の割合である。また、装置割合の分母は、本実施形態では解析対象である全視聴装置数としたが、これに限定されるものではなく、例えば、識別管理部１２１が管理する識別番号数など別の値としてもよい。
【００３８】
接触率は、各シリーズ番組に対して、「ライブ視聴」、「録画再生視聴」、「視聴予約」を含む視聴形態（もしくは視聴方法）ごとに求められる装置割合である。さらに、各シリーズ番組の全放送話数で割った接触率を平均接触率とする。
総合接触率は、各シリーズ番組に対して、「ライブ視聴」、「録画再生視聴」、「視聴予約」を含む視聴形態のうち少なくとも２つの視聴形態に対する視聴履歴のデータを合わせて求められる装置割合である。総合接触率において視聴割合を求める際の視聴時間は、視聴形態に関わらず視聴した放送時間とする。例えば、複数の視聴形態で同一箇所の重複視聴していた場合は、いずれか一つの視聴形態での視聴時間のみを視聴時間とする。さらに、各シリーズ番組の全放送話数で割った総合接触率を平均総合接触率とする。
【００３９】
また、上記した接触率は、まず総合接触率を求めて、総合接触率を視聴形態別に分けることで接触率を求めることもできる。総合接触率では、上記したように視聴割合を求める際に、全ての視聴形態での視聴時間が考慮されるため、視聴履歴データを視聴形態ごとに分けてから求める接触率とは結果が異なる可能性がある。
また、「視聴予約」による視聴形態に対し接触率または総合接触率を求める場合の視聴割合は、視聴予約した番組を視聴した視聴時間を用いて求める場合や、視聴予約した番組はすべて視聴したものとして求める場合もある。
なお、解析画面などに表示される条件パラメータやそれらに対する選択肢、値、評価指標などの名称や定義、種類などは、本実施形態において一例として示したものであり、本実施形態に示されるものに限定されるものではない。
（第１の実施形態）
本実施形態においては、視聴履歴を解析し、解析結果としてシリーズ番組のランキングを表示させる例について示す。
【００４０】
図４Ａは、本実施形態において、表示させた解析画面の一例を示す図であり、シリーズ番組を評価するために、例えば、パーソナルコンピュータ３１１の画面に表示させた解析画面である。
表示枠４０は、解析条件や解析結果の表示方法を設定するための選択タブなどが表示される解析画面の例であり、解析画面にて条件パラメータなどの各種項目に対し値などを選択もしくは指定できる。選択できる項目には、「評価基準」、「地域」、「デモグラフ属性」、「ソート基準」、「視聴判定」が含まれる。「デモグラフ属性」については、図には「デモグラ」と示されているが、以降、「デモグラ」も同一内容とする。
【００４１】
「評価基準」では、番組を評価する方法を選択でき、例えば、「総合接触率」、「視聴方法別接触率」、「総合接触率のデモグラフ属性分析」などを指定できる。「デモグラ」では、解析対象とする視聴履歴を選択したデモグラの項目で抽出できる。「ソート基準」は、解析結果の表示の順番を決めるための基準を指定する項目であり、「ソート基準」に対して「全体（1回でも見た）」、「７割以上視聴」などの指定ができる。「全体（1回でも見た）」は“あるシリーズ番組を1回以上見た視聴装置”に関する条件であり、「７割以上視聴」は“あるシリーズ番組を7割以上見た視聴装置”に関する条件である。また、「全体（1回でも見た）」、「７割以上視聴」は、解析の条件としても用いられる。また、1回や７割といった数値は条件パラメータにして具体的な値を設定できるようにしてもかまわない。「視聴判定」では、“視聴装置で１放送話が視聴されたかどうか”を判定するために、1放送話の全放送時間に対する視聴時間の割合を指定できる。
【００４２】
なお、本実施形態では、選択タブで値を指定する例を示しているが、例えば、値を直接入力する方法であってもよいし、選択タブという形式に限定されない。また、図には記載されていないが、指定できる項目には、例えば、解析対象とする視聴履歴データの日時や、番組の編成チャネルなどが含まれてもよい。
【００４３】
図４Ａに示す図では、「評価基準」を「総合接触率」とし、「地域」を「関東」とし、「デモグラ」を「地域全体」とし、「ソート基準（視聴回数）」を「全体（1回でも見た）」とし、「視聴判定」を「１／３」とする例が示されている。
図４Ｂは、本実施形態において、パーソナルコンピュータ３１１の画面に表示させた解析結果の一例を示す図である。
【００４４】
表示枠４１には、例えば、解析条件や解析結果の表示方法についての設定値が表示される。表示項目には、「デモグラ」、「ソート基準（視聴回数）」が含まれ、例えば、図４Ａの表示枠４０で設定した設定値が表示される。図４Ｂでは、「デモグラ」には「地域全体」が表示され、「ソート基準（視聴回数）」には「全体（1回でも見た）」が表示されている例が示されている。さらに、表示枠４１において、図示せぬ選択タブなどから、各項目に設定値を指定できるようにすることで、解析条件や解析結果に対する表示を変更できる。
【００４５】
表示枠４２には、総合ランキングが表示され、解析結果をソート基準でランク付けした結果であるシリーズ番組のランキングが表示される。表示枠４２には、「Ｒａｎｋ」、「番組名」「全体Ｒａｎｋ差」の項目が表示される。「Ｒａｎｋ」は、表示枠４１に表示されているソート基準もしくは表示枠４１で指定されたソート基準により決定されたシリーズ番組に対するランク（順位）である。「Ｒａｎｋ」の右に「Ｒａｎｋ」に対応する「番組名」が表示される。また、「全体Ｒａｎｋ差」は、各シリーズ番組に対し、表示枠４１に表示されているソート基準でのＲａｎｋ値と、ソート基準「全体（1回でも見た）」で解析されるＲａｎｋ値との差である。図４Ｂでは、ソート基準「全体（1回でも見た）」でランク付けされた「Ｒａｎｋ」が表示されているので、全てのシリーズ番組に対して、「全体Ｒａｎｋ差」は０と表示される例が示されている。
【００４６】
表示枠４３には、視聴履歴を解析して求めたシリーズ番組ごとの、解析条件「全体（1回でも見た）」、「７割以上視聴」それぞれに対する装置割合である総合接触率（図では平均総合接触率が表示されている）が、棒グラフとして重ねて表示される。
ここで、「全体（1回でも見た）」の装置割合は、必ず「７割以上視聴」の装置割合を含んだ値となるため、「全体（1回でも見た）」に対する棒グラフの方が長くなる。このことを考慮して、「全体（1回でも見た）」の装置割合の棒グラフを常に下にして、２つの棒グラフを重ねる。このようにすることで、常に両方の棒グラフを同時に見ることができ、比較することが容易となる。「全体（1回でも見た）」と「７割以上視聴」の棒グラフの差は、シリーズ番組を視聴した割合（視聴割合）が７割未満である視聴装置の装置割合を意味し、この割合は、シリーズ番組をたまたま視聴しただけなどの浮動層の割合に相当すると考えることができる。「７割以上視聴」の装置割合を固定層の割合とすると、シリーズ番組に対する固定層と浮動層の関係がわかりやすい。また、例えば、２つの棒グラフの差が大きいシリーズ番組は、“そのシリーズ番組がたまたま視聴されていた可能性が大きい”といったことや、“途中で視聴をやめた視聴者が多かった可能性が大きい”といったことがわかり、この情報を番組制作に利用することができる。
なお、２つの棒グラフを交互に点滅（自動点滅）させて表示させてもよい。このようにすることで、ユーザが２つの値を容易に、または直観的に比較できる。
図４Ｂでは、ソート基準を「全体（1回でも見た）」とした場合の解析結果の表示例を示したが、次にソート基準を「７割以上視聴」に変更した場合の表示例を示す。
【００４７】
図５は、同実施形態において、ソート条件を変更して表示させた解析結果の一例を示す図である。
表示枠５１、表示枠５２、表示枠５３はそれぞれ表示枠４１、表示枠４２、表示枠４３に対応しているため、図５に対する詳細の説明は省略する。
表示枠５１には、図４Ｂの表示枠４１の状態からソート基準が「７割以上視聴」に変更された例が示されている。表示枠５２の総合ランキングおよび表示枠５３の装置割合の棒グラフの表示が、ソート基準「７割以上視聴」とした場合の表示に変更されている。例えば、図４Ｂの表示枠４３では、「全体（1回でも見た）」に対する棒グラフが上から降順に表示されているが、表示枠５３では、「７割以上視聴」に対する棒グラフが上から降順に表示されている。また、表示枠５２の総合ランキングも表示枠４２から変更されている。
【００４８】
「７割以上視聴」した視聴装置は、実際に好きでそのシリーズ番組を継続して視聴した固定層である可能性が高い。昨今、映像配信や映画化、パチンコ、ゲームでのコラボなど終了したシリーズ番組であっても別の機会で利用されるケースは多々ある。この時、新たな展開をしたときについてくる視聴者を見積もる場合には、実際に好きでそのシリーズ番組を視聴した固定層がどの程度いたのかを正確に把握することが重要である。図４Ｂ、図５から、シリーズ番組ごとの固定層の割合を提供でき、また、図５から固定層の視聴ランキングを提供することができる。
【００４９】
表示枠５２に示した「全体Ｒａｎｋ差」は、値が大きくなるほど固定層でのランキングが浮動層でのランキングよりも高く、値が小さくなるほど固定層でのランキングが浮動層でのランキングよりも低いことを示している。
次に図４Ｂ、図５に示した解析結果をパーソナルコンピュータ３１１の画面に表示させるための、本実施形態におけるシステムの動作例を説明する。
【００５０】
図６は、本実施形態において、視聴履歴を解析し、解析結果を可視化させるためのシステムの処理動作例を示すフローチャートである。
サービス提供部１２４は、パーソナルコンピュータ３１１からコマンドなどを受信すると、シリーズ番組の評価を実施するための解析画面をパーソナルコンピュータ３１１に表示させる（ステップＳ１）。ここで解析画面は、図４Ａの表示枠４０に示したような、解析条件や解析結果の表示方法などの条件パラメータを指定するための画面である。サービス提供部１２４は、パーソナルコンピュータ３１１から解析画面で設定された条件パラメータを受信する（ステップＳ２）。本実施形態で用いる条件パラメータは、「評価基準」、「デモグラ」、「ソート基準（視聴回数）」、「視聴判定」を含む。「評価基準」を「総合接触率」とし、地域を「関東」とし、「デモグラ」を「地域全体」とし、「ソート基準（視聴回数）」を「全体（１回でも見た）」とし、「視聴判定」を「１／３」とする。サービス提供部１２４は、受信した条件パラメータに従って、解析部１２３に視聴履歴の解析をさせる（ステップＳ３）。ステップＳ３については、図７で解析例を詳述する。
【００５１】
図７は、同実施形態において、視聴履歴を解析するためのサーバの処理動作例を示すフローチャートであり、図６のステップ３を詳細に示したフローチャートである。
解析部１２３は、受信した条件パラメータに従って、解析対象であるシリーズ番組ＳＰが少しでも視聴された視聴装置ｒの集合である視聴装置群Ｒを視聴履歴から抽出する（ステップＳ３１）。視聴装置群Ｒの要素数を第１の視聴装置数Ｎ１とする。視聴装置群Ｒの全ての視聴装置ｒに対して、各々以下のステップを実行する（ステップＳ３２）。視聴装置ｒによって視聴されたシリーズ番組ＳＰの放送話ｓｐの数をＮ＿ｓｐとして、Ｎ＿ｓｐをカウントする（ステップＳ３３）。ここで、放送話ｓｐが視聴されたかどうかは、例えば、次式により判断する。
【００５２】
視聴装置ｒで放送話ｓｐが視聴された時間／放送話ｓｐの放送時間≧ＴＨ＿ｓｐ
ただし、ＴＨ＿ｓｐは、０≦ＴＨ＿ｓｐ≦１の実数である。本実施形態では、例えば、ＴＨ＿ｓｐ＝１／３とする。また、本実施形態では総合接触率を使用するため、ここでの視聴装置ｒによって放送話ｓｐが視聴された時間は、視聴形態に関わらず視聴された放送時間であり、重複した部分はいずれか一つの視聴形態での視聴時間である。
【００５３】
全ての放送話ｓｐに対して、上記条件を確認してＮ＿ｓｐを求め、Ｎ＿ｓｐが０よりも大きいかどうかを確認する（ステップＳ３４）。Ｎ＿ｓｐ＝０の場合（ステップＳ３４のＮＯ）は、視聴装置ｒはシリーズ番組ＳＰが一度も視聴されたことがないとみなされ、以下の解析は実施されない。Ｎ＿ｓｐ＞０の場合（ステップＳ３４のＹＥＳ）、第２の視聴装置数Ｎ２をカウントする（ステップＳ３５）。第２の視聴装置数Ｎ２は、シリーズ番組ＳＰが一回でも視聴された視聴装置、すなわち、ソート基準「全体（1回でも見た）」の視聴装置数に相当する。
【００５４】
シリーズ番組ＳＰが一回でも視聴された視聴装置ｒに対して視聴割合Ｐ１を次式で求める（ステップＳ３６）。
Ｐ１＝Ｎ＿ｓｐ／シリーズ番組ＳＰの放送話ｓｐの数
求めたＰ１としきい値ＴＨ＿Ｐ１とを比較する（ステップＳ３７）。ＴＨ＿Ｐ１は、０≦ＴＨ＿Ｐ１≦１の実数であり、本実施形態では、例えば、ＴＨ＿Ｐ１＝０．７とする。Ｐ１≧ＴＨ＿Ｐ１の場合（ステップＳ３７のＹＥＳ）、第三の視聴装置数Ｎ３をカウントする（ステップ３８）。本実施形態では、第三の視聴装置数Ｎ３は、シリーズ番組ＳＰが「７割以上視聴」視聴された視聴装置の数、すなわち、良く視聴する固定層と考えられる視聴装置の数に相当する。
【００５５】
視聴装置群Ｒの全てのＮ１個の視聴装置ｒに対して、ステップＳ３２からステップＳ３８を繰り返す（ステップＳ３９）。ステップＳ３２からステップＳ３９が完了したら、装置割合Ｐ２、Ｐ３を求める（ステップＳ４０）。本実施形態では、装置割合Ｐ２は、シリーズ番組ＳＰが1回でも視聴された視聴装置、すなわちソート基準の「全体（1回でも見た）」に相当する視聴装置の総合接触率である。また、装置割合Ｐ３は、シリーズ番組ＳＰをよく見る固定層の視聴装置、すなわちソート基準の「７割以上視聴」に相当する視聴装置の総合接触率である。Ｐ２、Ｐ３は以下のように求められる。Ｎ０は、例えば、解析対象とした視聴履歴群Ａに含まれる全ての視聴装置数である。
【００５６】
Ｐ２＝Ｎ２／Ｎ０
Ｐ３＝Ｎ３／Ｎ０
全ての解析対象であるシリーズ番組ＳＰに対して、ステップ３１からステップ４０を実施し、それぞれ総合接触率Ｐ２、Ｐ３を求める。
図６のフローチャートに戻り、サービス提供部１２４は、解析部１２３から解析結果を受信し、ソート基準など条件パラメータに従って解析結果の可視化データを作成すると、作成した可視化データをパーソナルコンピュータ３１１に送信する（ステップＳ４）。図４Ｂに示される例ではソート基準として「全体（1回でも見た）」を指定しているので、サービス提供部１２４は、総合接触率Ｐ２の値に基づいてシリーズ番組ＳＰのランキングを決定し、ランキング順に表示させるための可視化データを作成し、パーソナルコンピュータ３１１に送信する。パーソナルコンピュータ３１１が、受信した可視化データに従ってモニタに表示させると、図４Ｂに示した解析結果の表示が得られる（ステップＳ５）。図４Ｂの表示例の状態からソート基準を「７割以上視聴」に変えた場合の解析結果の表示を見る場合は（ステップＳ６のＹＥＳ）、ステップ２に戻り、パーソナルコンピュータ３１１から、表示枠４１のソート基準を「７割以上視聴」に変える。サーバ１２０が、ステップＳ３からＳ４の処理を実行すると、ステップＳ５でパーソナルコンピュータ３１１のモニタに図５の表示例が表示される。
【００５７】
なお、図５の解析結果の表示は、図４Ｂに示した解析結果の表示のランクの値や棒グラフの並び順を入れ替えただけであるため、例えば、ステップ３において、図４Ｂの解析結果の表示に対する解析結果データを記憶させ、サービス提供部１２４は、記憶させた解析結果データを用いて、ソート基準を変えた解析結果の表示の可視化データを作成し、図５の表示を行うことでもよい。この場合は、ステップＳ６のＹＥＳから、ステップＳ４に戻り処理を実行する。
【００５８】
このように第１の実施形態によれば、本当に好きで視聴されているシリーズ番組の浮動層と固定層の割合やランキングを得る視聴履歴分析方法と視聴履歴分析システムを提供することができる。
なお、本実施形態では、デモグラに「地域全体」を指定したが、その他、「機器全体」、個人視聴テレビの「Ｍ３」、「Ｍ２」、「Ｍ１」、「Ｔ」、「Ｆ１」、「Ｆ２」、「Ｆ３」、また、家族視聴テレビに関する項目に指定して得たランキングを表示することでも良い。
【００５９】
（第２の実施形態）
本実施形態においては、視聴履歴を解析し、解析結果として視聴方法別に接触率を求め、シリーズ番組のランキングを表示させる例について示す。
図８は、本実施形態において、視聴方法別に表示させた解析結果の一例を示す図である。
【００６０】
表示枠８１、表示枠８２、表示枠８３は、基本的に図４Ｂの表示枠４１、表示枠４２、表示枠４３にそれぞれ対応しているため、ここでは、図４Ｂと図８との重複部分については詳細説明を省略し、差分を中心に説明する。
表示枠８１には、例えば、解析条件や解析結果の表示方法についての設定値が表示される。表示項目には「デモグラ」、「ソート基準」などがある。「ソート基準」については、さらに視聴方法、視聴回数に分け２種類とする。表示枠８１では、「デモグラ」を「地域全体」とし、「ソート基準（視聴回数）」を「７割以上視聴」とし、「ソート基準（視聴方法）」を「ライブ」とする例が示されている。さらに、表示枠４１同様、表示枠８１においても、図示せぬ選択タブなどから、各項目に設定値を指定できるようにすることで、解析条件や解析結果に対する表示を変更できる。例えば、「ソート基準（視聴方法）」では、「ライブ視聴」、「録画再生視聴」、「視聴予約」を指定でき、「ソート基準（視聴回数）」では、「全体（1回でも見た）」、「７割以上視聴」を指定できる。
【００６１】
表示枠８２には、解析結果から得られるシリーズ番組のランキングとして、「Ｒａｎｋ」、「番組名」「全体Ｒａｎｋ差」の項目がランク順に表示される。
表示枠８３には、視聴履歴を解析して求めたシリーズ番組ごとの装置割合である接触率（図では平均接触率が表示されている）が視聴方法別に示されている。視聴方法としては「ライブ視聴」、「録画再生視聴」、「視聴予約」といった例が表示されている（図ではそれぞれ「ライブ」、「再生」、「予約」と表示されている）。それぞれの視聴方法ごとに、解析条件である「全体（1回でも見た）」、「７割以上視聴」それぞれに対する視聴装置の装置割合が、棒グラフとして重ねて表示される。
【００６２】
第１の実施形態の図４Ｂの解析結果の表示例では、「全体（1回でも見た）」、「７割以上視聴」の棒グラフを重ねて表示させることで、シリーズ番組に対する浮動層と固定層の割合を知ることができたが、本実施形態の図８の解析結果の表示例ではさらに、視聴方法の差異を分析することができる。これにより、例えば、ＳＮＳで実況していた「ライブ（ライブ視聴）」の層が、他の視聴方法に比べてどの程度の割合を占めるのか、また、「予約（予約視聴）」の数のうち、実際に定着して視聴された視聴装置の割合がどの程度だったかといったことなどがわかる。
【００６３】
図９は、同実施形態において、視聴方法別に解析結果を表示させるためのシステムの処理動作例を示すフローチャートであり、図６の第１の実施形態に係るフローチャートと同様であるため、図６と図９で重複する部分の詳細説明は省略し、両者の差分を中心に説明する。
視聴方法別の接触率の求め方は、２つ考えられる。１つ目は、視聴履歴データを視聴方法別に分けてから視聴方法別の接触率を求める方法である。２つ目は、まず視聴方法によらない総合接触率を求めてから、総合接触率を視聴方法別に分けることで接触率を求める方法である。２つ目の方法では例えば、総合接触率の分子（本実施形態では装置割合の分子であり、例えば視聴割合が一定値以上である視聴装置数）を視聴方法別に分けて、視聴方法別の接触率を求める。図８の解析結果の表示例は、２つ目の計算方法によるものであるが、図９のフローチャートでは、１つ目の計算方法による処理手順を示す。
【００６４】
サービス提供部１２４は、パーソナルコンピュータ３１１からコマンドなどを受信すると、解析画面をパーソナルコンピュータ３１１に表示させる（ステップＳ１ａ）。ここで解析画面は、図４Ａの表示枠４０に示したような、解析条件や解析結果の表示などを指定するための画面である。サービス提供部１２４は、パーソナルコンピュータ３１１から解析画面で設定された条件パラメータを受信する（ステップＳ２ａ）。本実施形態での条件パラメータは、「評価基準」、「デモグラ」、「ソート基準（視聴方法）」、「ソート基準（視聴回数）」を含む。ここでは、「評価基準」を「視聴方法別接触率」とし、「デモグラフ属性」を「地域全体」とし、「ソート基準（視聴方法）」を「ライブ」とし、「ソート基準（視聴回数）」を「７割以上視聴」とする。サービス提供部１２４は、受信した条件パラメータに従って、解析部１２３に視聴履歴の解析をさせる（ステップＳ３ａ）。
【００６５】
ステップＳ３ａを詳細に説明する。第１の実施形態では、シリーズ番組ごとに、視聴形態に関わらず視聴履歴から抽出した視聴装置群Ｒに対して解析を実施させる例を示した（図７のステップＳ３１）。本実施形態では、シリーズ番組ごとに、視聴装置群Ｒをさらに視聴方法別に分けた視聴装置群Ｒ１、Ｒ２、Ｒ３に対して解析を実施させる例を示す。Ｒ１、Ｒ２、Ｒ３は、それぞれ「ライブ視聴」で視聴された視聴装置ｒ１の集合、「録画再生視聴」で視聴された視聴装置ｒ２の集合、「視聴予約」で視聴された視聴装置ｒ３の集合である。また、第１の実施形態では、シリーズ番組に対する装置割合Ｐ２、Ｐ３を得たが、本実施形態においては、Ｐ２、Ｐ３をさらに視聴方法別Ｐ２１、Ｐ２２、Ｐ２３、Ｐ３１、Ｐ３２、Ｐ３３に分けて算出する。視聴方法に関わらず算出したＰ２、Ｐ３を総合接触率と称したが、視聴方法別に算出した装置割合を単に「接触率」と称する。Ｐ２１、Ｐ２２、Ｐ２３は「ソート基準（視聴回数）」のうち「全体（1回でも見た）」を解析条件とした接触率であり、それぞれ「ライブ視聴」の接触率、「録画再生視聴」の接触率、「視聴予約」の接触率である。また、Ｐ３１、Ｐ３２、Ｐ３３は「ソート基準（視聴回数）」のうち「７割以上視聴」を解析条件とした接触率であり、それぞれ「ライブ視聴」の接触率、「録画再生視聴」の接触率、「視聴予約」の接触率である。
【００６６】
解析部１２３が、解析対象である全てのシリーズ番組に対して接触率Ｐ２１、Ｐ２２、Ｐ２３、Ｐ３１、Ｐ３２、Ｐ３３を求め、それらを含めた解析結果をサービス提供部１２４に送信すると、サービス提供部１２４は、接触率に基づいてシリーズ番組のＲａｎｋ値を決定し、ソート基準など条件パラメータに従って解析結果の可視化データを作成し、作成した可視化データをパーソナルコンピュータ３１１に送信する（ステップＳ４ａ）。例えば、図８の表示枠８１では、ソート基準として、「ソート基準（視聴回数）」に「７割以上視聴」が指定され、「ソート基準（視聴方法）」に「ライブ」が指定される例が示されている。この場合、サービス提供部１２４は、接触率Ｐ３１に基づいてシリーズ番組のランクを決定し、表示枠８２、表示枠８３をランク順に表示させるための可視化データを作成し、パーソナルコンピュータ３１１に送信する。
【００６７】
パーソナルコンピュータ３１１が、受信した可視化データに従ってモニタに表示させると、図８に示した解析結果の表示が得られる（ステップＳ５ａ）。図８の例では、接触率Ｐ３１に基づいてシリーズ番組がランク付けされたことから、図８の表示枠８３の「ライブ」の棒グラフにおける、「７割以上視聴」に対する棒グラフが降順に表示されている。
【００６８】
表示枠８１からソート基準を変更すると（ステップＳ６ａのＹＥＳ）、ステップＳ２ａからステップＳ５ａが繰り返されて、変更後のソート基準で決定されたランクに従って、解析結果の表示が得られる。本実施形態では、選択される「ソート基準（視聴回数）」、「ソート基準（視聴方法）」の組み合わせによる解析結果である接触率、すなわち、Ｐ２１、Ｐ２２、Ｐ２３、Ｐ３１、Ｐ３２、Ｐ３３のいずれかの値に従ってシリーズ番組に対するランク付けがされる。さらには、図８の例には表示されていないが、接触率と同時に総合接触率Ｐ２、Ｐ３を算出し、総合接触率Ｐ２、Ｐ３もランク付けに使用してもよい。
【００６９】
このように第２の実施形態によれば、シリーズ番組の浮動層と固定層に対する視聴方法の差異の分析が可能な視聴履歴分析方法と視聴履歴分析システムを提供することができる。例えば、シリーズ番組の７割以上が視聴された視聴装置がそれぞれの視聴方法でどの程度見られていたかなど、実際に視聴された視聴装置の視聴傾向の分析が可能である。
【００７０】
（第３の実施形態）
図１０は、第３の実施形態において、デモグラフ属性を横軸として表示させた解析結果の一例を示す図である。  
表示枠１００１には、解析対象とするシリーズ番組の番組名と、番組名の左にボタンが表示される。例えば、パーソナルコンピュータ３１１からクリックなどによりボタンの表示状態を変えることで、ボタンの右の番組名に相当するシリーズ番組を選択することができる。図では、選択されていない番組のボタンは白丸（黒枠）、選択された番組のボタンは白丸の中に黒丸が表示されている。
【００７１】
なお、図の例では１つのボタンのみに黒丸が表示されているが、例えば、複数のボタンに黒丸を表示させて、それらのボタンに対応する複数の番組を選択することも可能である。
表示枠１００２には、直交する縦軸と横軸からなる座標平面が表示される。縦軸は、「Ｒａｎｋ」の値に対する数値軸であり、横軸はデモグラフ属性の要素を項目とする項目軸である。表示枠１００２内の左側には、解析対象とするシリーズ番組の番組名が並んで表示される。表示枠１００２内の右側には、デモグラフ属性の項目ごとに求められたシリーズ番組のＲａｎｋ値を、シリーズ番組ごとに結線したグラフが表示される。表示枠１００２内の左側に表示されているシリーズ番組の番組名の並び順は、特定のデモグラフ属性の項目におけるランクが反映されている。図の例では、デモグラフ属性の「地域全体」に対し求められたランク（表示枠１００２内の右側のグラフの左端に相当する）の順番で、シリーズ番組の番組名が並べられている。また、図の例に示されるように、表示枠１００１のボタンに黒丸を表示させたシリーズ番組の解析結果に対し、表示枠１００２の右側のグラフが強調されて、線が他の番組の線よりも太く表示され、また、デモグラフ属性の各項目に対する「Ｒａｎｋ」の値が表示される。また、他の番組の線と違った色で表示させることでもよい。このように強調することで、解析対象のシリーズ番組が多数ある場合にも、デモグラフ属性に対する傾向がわかりやすい。例えば、図の例では、“「シリーズ番組ＳＰ１６」は、Ｍ１層に人気が高い”といったことがわかる。
【００７２】
このように横軸をデモグラフ属性の項目（性別年代別など）として、シリーズ番組ごとに、デモグラフ属性の項目ごとのランクの値を線で結んで表示させることで、性別年代別ごとの相対的な順位を横並びに比較することができ、番組が男性もしくは女性受けなのか、若年層もしくは高年層受けなのかといったシリーズ番組の評価が可能となる。
【００７３】
また、横軸に表示されているデモグラフ属性の項目名などをクリックすると、クリックしたデモグラフ属性の項目に対するランクの順番で、表示枠１００２内の左側のシリーズ番組の番組名が並べ替えられ、それに応じて右側のグラフが変更されるようにしてもよい。
【００７４】
図１１は、同実施形態において、デモグラフ属性を横軸として解析結果を表示させるためのシステムの処理動作例を示すフローチャートである。
サービス提供部１２４は、パーソナルコンピュータ３１１からコマンドなどを受信すると、解析画面をパーソナルコンピュータ３１１に表示させる（ステップＳ２１）。ここで解析画面とは、図４Ａの表示枠４０に示したような、解析条件や解析結果の表示などを指定するための画面である。パーソナルコンピュータ３１１に表示された解析画面からデモグラフ属性を横軸とした表示をさせるための条件パラメータを設定する。本実施形態で用いる条件パラメータは、「評価基準」、「視聴回数」、「デモグラフ属性」といった項目を含む。「視聴回数」は、「全体（1回でも見た）」、「７割以上視聴」などの選択肢を含み、解析結果を表示するための条件でありかつ解析のための条件となる。「デモグラフ属性」は、「地域全体」、「家族全体」、「Ｍ３」、「Ｍ２」、「Ｍ１」、「Ｔ」、「Ｆ１」、「Ｆ２」、「Ｆ３」の選択肢の他、全ての選択肢を選択できる「全て」などの選択肢を含めてもよいし、チェックボックスなどを設けて複数の任意の「デモグラフ属性」の項目を同時に選択できるようにしてもよい。選択された全ての「デモグラフ属性」の項目に対して解析が実施される。本実施形態では、「評価基準」を「総合接触率のデモグラフ属性分析」とし、「視聴回数」を「７割以上視聴」とし、「デモグラフ属性」を「全て」とする。ここで「デモグラフ属性」を「全て」に指定することで、「地域全体」、「家族全体」、「Ｍ３」、「Ｍ２」、「Ｍ１」、「Ｔ」、「Ｆ１」、「Ｆ２」、「Ｆ３」を全てが選択される。なお、本実施形態に示す条件パラメータの項目、値や選択肢の名称、種類などは一例であり、限定されるものではない。
【００７５】
サービス提供部１２４は、パーソナルコンピュータ３１１から画面上で設定された条件パラメータを受信する（ステップＳ２２）。サービス提供部１２４は、受信した条件パラメータに従って、解析部１２３に視聴履歴の解析をさせる（ステップＳ２３）。
ステップＳ２３を詳細に説明する。第１の実施形態では、シリーズ番組ごとに、視聴形態に関わらず視聴履歴から抽出した視聴装置群Ｒに対して解析を実施させる例を示した（図７のステップＳ３１）。本実施形態では、シリーズ番組ごとに、視聴装置群Ｒをさらにデモグラフ属性の項目別に分けて、デモグラフ属性の項目ｍに対する視聴装置群Ｒ＿ｍに対して解析を実施させる。ｍは、例えば、デモグラフ属性の各項目に対応付けたインデックスを示す。また、第１の実施形態では、シリーズ番組に対する装置割合Ｐ２、Ｐ３を得たが、本実施形態においては、Ｐ２、Ｐ３をさらにデモグラフ属性の項目別Ｐ２＿ｍ、Ｐ３＿ｍに分けて算出する。Ｐ２＿ｍ、Ｐ３＿ｍは、デモグラフ属性の項目ｍ別の「総合接触率」である。
【００７６】
解析部１２３が、解析対象である全てのシリーズ番組に対してＰ２＿ｍ、Ｐ３＿ｍを求め、Ｐ２＿ｍ、Ｐ３＿ｍを含めた解析結果をサービス提供部１２４に送信すると、サービス提供部１２４は、ソート基準等条件パラメータに従って解析結果の可視化データを作成し、作成した可視化データをパーソナルコンピュータ３１１に送信する（ステップＳ２４）。パーソナルコンピュータ３１１が、受信した可視化データに従ってモニタに表示させると、図１０に示した解析結果の表示が得られる（ステップＳ２５）。図１０の表示枠１００２内の左側に示された座標平面の縦軸に沿って表示される番組名の並び順は、デモグラフ属性の項目ｍのいずれかにおけるＲａｎｋ値に従って、ソートされた順番である。図１０では、「地域全体」のＲａｎｋ値の順に番組名が表示されている例が示されている。表示枠１００２内の左側に表示される番組ごとに、デモグラフ属性の項目ごとのＲａｎｋ値が、横軸の項目並び順に結線されている。
【００７７】
なお、図１０では、表示枠１００２内の左側に表示されるシリーズ番組の順番を、デモグラフ属性の項目ｍのいずれかに対するＲａｎｋ値に従ってソートさせて表示させる例を示したが、シリーズ番組の表示順をソートさせずにランダムに表示させることでもよい。
【００７８】
また、例えば、図１０の表示枠１００２の右側に表示されている横軸のデモグラフ属性の項目ｍの項目名のいずれかがクリックされて選択されると、サービス提供部は、選択されたデモグラフ属性の項目をソート基準として解析結果のランク順を変更した可視化データを作成する（ステップＳ２６のＹＥＳ、ステップＳ２４）。作成された可視化データはパーソナルコンピュータ３１１に送信され、表示枠１００２内の左側に変更されたランク順で番組名が表示され、図１０同様に、横軸のデモグラフ属性の項目ごとのＲａｎｋ値が、横軸の項目並び順で結線され、図示せぬ解析結果の表示が得られる。
【００７９】
このように第３の実施形態によれば、シリーズ番組ごとのデモグラフ属性による視聴傾向や、シリーズ番組間のデモグラフ属性の差異の分析が可能な視聴履歴分析方法と視聴履歴分析システムを提供することができる。
さらに、本実施形態によれば、各性・年代等特定の層を対象にその番組の評価をする場合に、その性・年代ごとの視聴履歴の絶対量の差に左右されないランク（順位）で評価できる。例えば、“ドラマはＦ２，Ｆ３、アニメはＭ１，Ｍ２等の視聴が高くなる”、“ある性・年代の中で高かった場合でもほかの層ではさらに高い”といった分析もできる。また、例えばその番組を配信する場合に誰に（どの層に）ターゲティングして広告するか、逆に例えばＦ１層等、特定の層に向けた番組を作成する場合にどういった要素が受けるのかといった分析にも利用することができる。
【００８０】
以上述べた少なくとも１つの実施形態によれば、シリーズ番組の視聴分析を正確に行うことのできる視聴履歴分析方法と視聴履歴分析システムを提供することができる。
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【００８１】
また、図面は、説明をより明確にするため、実際の態様に比べて、各部の幅、厚さ、形状等について模式的に表される場合がある。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００８２】
１００・・・放送信号送信装置、１０１・・・放送局サーバ、１０２・・・第１の基本機能、１２０・・・サーバ、１２１・・・識別管理部、１２２・・・収集部、１２３・・・解析部、１２４・・・サービス提供部、１４０・・・放送信号受信装置
【図１】
2020191587.tif 000003
【図２】
2020191587.tif 000004
【図３】
2020191587.tif 000005
【図４Ａ】
2020191587.tif 000006
【図４Ｂ】
2020191587.tif 000007
【図５】
2020191587.tif 000008
【図６】
2020191587.tif 000009
【図７】
2020191587.tif 000010
【図８】
2020191587.tif 000011
【図９】
2020191587.tif 000012
【図１０】
2020191587.tif 000013
【図１１】
2020191587.tif 000014